(57)【要約】【課題】建物壁の再利用を可能とすると共に、柱や土台、梁との接合箇所におけるスキをもたらさないようにする。【解決手段】建物壁１０は、土台１２と梁１４および向かい合う柱１６で囲まれた領域を、複数の建材４０で塞ぐ。この建材４０は、上下面に長手方向の凸条４１と凹溝４４を備え、両木口には、凸条３１が回り込むようにした凸条３２と、凹溝４４が回り込むようにした凹溝４３を有する。これら凸条・凹溝は、共に等脚台形の断面形状とされ、凹溝４４には凸条４１が入り込む。木口側の凸条３２は、柱１６の凹溝２４に入り込み、凹溝３３には柱１６の凸条２２が入り込む。凹溝４３と凹溝４４は、その溝開口端側の溝幅が凸条４１、凸条４２の凸形状基部側の凸幅と同じとなるようにされ、これら凸条と溝側面あたりを起こす。【選択図】        図２
2004239027.tif 000002
【特許請求の範囲】
【請求項１】
複数の建材を接合した建材接合構造を構成する建材であって、
建材両端の木口間に亘って建材長手方向に対向して形成された第１面と第２面と、
前記第１面に建材長手方向に沿って形成された第１凹溝と、
前記第２面に建材長手方向に沿って形成され、接合された他の建材が有する前記第１凹溝に入り込み可能な第１凸条と、
前記第１凸条が前記第２面から建材両端の一方の木口の端面側に連続して回り込むように、前記一方の木口に前記第２面の側から前記第１面の側にかけて形成され、前記第１凸条と実質的に同形状の第２凸条と、
前記第１凹溝が前記第１面から建材両端の他方の木口の端面側に連続して回り込むように、前記他方の木口に前記第１面の側から前記第２面の側にかけて形成され、前記第１凹溝と実質的に同形状の第２凹溝とを備え、
前記第１、第２凸条は、凸形状頂上側が凸形状基部側より狭くなる断面形状とされ、
前記第１、第２凹溝は、前記第１、第２凸条と凹溝側面当たりを起こすよう合致した凹状断面形状を有すると共に、溝開口端側の溝幅は、前記第１、第２凸条の前記凸形状基部側の凸幅以下とされている、建材。
【請求項２】
請求項１記載の建材であって、
前記第１、第２凸条は、台形断面形状を有し、
前記第１、第２凹溝は、前記台形断面形状に合致した凹状断面形状を有し、
前記第１凹溝に他の建材が有する前記第１凸条を入り込ませると、前記建材の前記第１面と前記他の建材が有する前記第２面とが接合する、建材。
【請求項３】
請求項１または請求項２記載の建材であって、
前記第１凸条と前記第１凹溝は、凸条センターと凹溝センターを一致して対向し、前記第２凸条と前記第２凹溝は、凸条センターと凹溝センターを一致して対向する、建材。
【請求項４】
複数の建材を接合した建材接合構造であって、
請求項１ないし請求項３いずれか記載の建材を複数使用し、第１凸条が他の建材の前記第１凹溝に入り込むようにして前記複数の建材を接合してなる、建材接合構造。
【請求項５】
複数の建材を接合して壁を形成した建築物であって、
前記壁の下端部となる土台材と、
前記壁の上端となる梁材と、
前記壁の左右端となる柱材と、
前記土台材、梁材および左右の柱材で囲まれた間に組み込まれる複数の壁構成材とを有し、
該壁構成材を請求項１なし請求項３いずれか記載の建材とし、
前記土台材は、前記梁材側の上面に土台材凸条を備え、該土台材凸条を前記建材の前記第１凹溝に凹溝側面当たりを起こして入り込ませることが可能とされ、前記梁材は、前記土台材側の下面に梁材凹溝を備え、該梁材凹溝に前記建材の前記第１凸条を凹溝側面当たりを起こして入り込ませることが可能とされ、
前記柱材の一方は、他方の前記柱材側の鉛直方向側面に柱材凹溝を備え、該柱材凹溝に前記建材のそれぞれの前記第２凸条を凹溝側面当たりを起こして入り込ませることが可能とされ、
前記柱材の他方は、前記一方の柱材側の鉛直方向側面に柱材凸条を備え、該柱材凸条を前記建材のそれぞれの前記第２凹溝に凹溝側面当たりを起こして入り込ませることが可能とされている、建築物。
【請求項６】
請求項５記載の建築物であって、
前記左右の柱材は、前記梁材側の木口に、前記建材の前記第１凸条と実質的に同形状の木口凸条を備え、該木口凸条を前記梁材の前記梁材凹溝に凹溝側面当たりを起こして入り込ませている、建築物。
【発明の詳細な説明】
【０００１】
【発明の属する技術分野】
本発明は、建材とこれを複数接合した建材接合構造およびこれを用いた建築物に関する。
【０００２】
【従来の技術】
従来、建築物の壁は、土台と梁を柱で繋ぎ、柱間を、間柱や胴縁で補強した上で、壁内外にパネルや壁下地材等を釘止め等して形成されていた。こうした繋ぎには、種々の継手・仕口工法を採ったり、羽板ボルト等の金具が使われていた。また、耐寒等の目的で、柱間に土壁を盛ったり、断熱材を埋め込む等の工法が採られていた。
【０００３】
【発明が解決しようとする課題】
近年になり、地球環境保全等のために材料のリサイクルが重要視されつつある。しかしながら、上記のような建物壁にあっては、継手・仕口工法等を採ることから、解体に伴い、柱はもとより梁や土台等にあっても破砕等されてしまうことが常であり、再利用の余地が高いとは云えなかった。
【０００４】
ところで、建材を取り扱う上で、溝に凸条を嵌合させて建材同士を接合する工法は、フローリングボードやフローリングブロックで多用されている。しかしながら、以下に説明するように、こうした既存の接合工法を単純に建築物の壁に転用することはできなかった。
【０００５】
フローリングボードやフローリングブロックは、根太や畳下床に、それぞれを継ぎ足し接合しながら隠し釘打ちされ、接合箇所では溝に凸条を嵌合させたりしている。よって、このそれぞれの接合箇所にはスキを残さないようにできる。しかしながら、床の四方では、接合相手が壁であることから、この壁との間に隙間を残してしまい、これを副木で隠している。よって、このような工法を建物壁に適用すると、柱間において建材を接合させた接合箇所や、土台と梁との間において建材を接合させた接合箇所では、スキを残さないものの、建材と柱の側面、或いは土台上面と梁下面との間にスキを残してしまう。よって、これらスキを雨仕舞いや見栄えのために隠すことが必要となる。また、建築当初はこうしたスキが現れなくても、年月がたつことによる木材の収縮により、スキが現れることもあり、その補修も必要となる。
【０００６】
本発明は、上記問題点を解決するためになされ、建物壁の再利用を可能とすると共に、柱や土台、梁との接合箇所におけるスキをもたらさないようにすることを目的とする。
【０００７】
【課題を解決するための手段およびその作用・効果】
かかる課題の少なくとも一部を解決するため、本発明の建材は、
複数の建材を接合した建材接合構造を構成する建材であって、
建材両端の木口間に亘って建材長手方向に対向して形成された第１面と第２面と、
前記第１面に建材長手方向に沿って形成された第１凹溝と、
前記第２面に建材長手方向に沿って形成され、接合された他の建材が有する前記第１凹溝に入り込み可能な第１凸条と、
前記第１凸条が前記第２面から建材両端の一方の木口の端面側に連続して回り込むように、前記一方の木口に前記第２面の側から前記第１面の側にかけて形成され、前記第１凸条と実質的に同形状の第２凸条と、
前記第１凹溝が前記第１面から建材両端の他方の木口の端面側に連続して回り込むように、前記他方の木口に前記第１面の側から前記第２面の側にかけて形成され、前記第１凹溝と実質的に同形状の第２凹溝とを備え、
前記第１、第２凸条は、凸形状頂上側が凸形状基部側より狭くなる断面形状とされ、
前記第１、第２凹溝は、前記第１、第２凸条と凹溝側面当たりを起こすよう合致した凹状断面形状を有すると共に、溝開口端側の溝幅は、前記第１、第２凹条の前記凸形状基部側の凸幅以下とされている、
ことを特徴とする。
【０００８】
上記構成を有する本発明の建材では、次のようにして複数接合することができる。
まず、一の建材が第２面に有する第１凸条を、他の建材が第１面に有する第１凹溝に入り込ませて、当該一の建材に他の建材を長手方向に揃えて重ね合わせる。第１凹溝は第１凸条と凹溝側面当たりを起こすよう合致した凹状断面形状を有するので、建材長手方向に揃えて重ねられた一の建材と他の建材は、この一の建材の第２面が他方の建材の第１面と向かい合うよう、その建材長手方向全域に亘ってスキを残すことなく接合する。
【０００９】
こうして接合状態にある建材同士は、その一方の木口端面側に、第１凸条が第２面からこの一方の木口の端面側に連続して回り込むように、第２面の側から第１面の側にかけて形成された第２凸条を備え、この第２凸条は第１凸条と実質的に同形状とされている。この第２凸条は、第１面の側において、第１凹溝と干渉するが、この第１凹溝の溝開口端側の溝幅は第２凹条の凸形状基部側の凸幅以下とされているので、第２凸条の凸形状基部が第１面の側において第１凹溝で削り取られることはない。そして、このようにして凸形状基部が残った第２凸条の部分における第１凹溝に、既述したように第１凸条が入り込んで第２凸条の凸形状基部の残存部と第１状凸条が重なるので、第２凸条が存在する一方の木口側で、一の建材と他の建材の接合にスキを残さない。
【００１０】
他方の木口端面側では、第１凹溝が第１面からこの他方の木口の端面側に連続して回り込むように、第１面の側から第２面の側にかけて第２凹溝が形成されており、この第２凹溝は第１凹溝と実質的に同形状とされている。よって、この他方の木口端面側では、第２面の側において、第２凹溝と第１凸条との干渉が起きるが、第２凹の溝開口端側の溝幅は第１凹条の凸形状基部側の凸幅以下とされているので、第１凸条の凸形状基部が第２面の側において第２凹溝で削り取られることはない。よって、既述したように第１凸条が第１凹溝に入り込んでも、第２凹溝が存在する他方の木口側における一の建材と他の建材の接合箇所には、第１条の凸形状基部が残存するので、両建材の接合にスキを残さない。
【００１１】
この結果、本発明の建材によれば、建材長手方向の第１、第２面に亘ってはもちろん、その両端の木口においても、建材の接合にスキを残さない。そして、複数の建材が接合された状態では、一方の木口側では、それぞれの建材の第２凸条が繋がり、他方の木口側では第２凹溝が繋がった状態となる。よって、この繋がった第２凸条が入り込むよう凹溝と、繋がった第２凹溝に入り込む凸条を、別の建材、例えば柱や針、或いは土台に凹溝を形成すれば、これら別の建材と本発明の建材との接合箇所にスキを残さないようにできる。
【００１２】
しかも、本発明では、凹溝への凸条の入れ込みにより建材の接合状態を維持できることから、建材固定のための釘や接着剤等を必要としない。よって、作業効率の向上をもたらすことができると共に、釘打ち工程等が不要なことに基づくコスト低下を図ることができる。また、これら建材を再利用するには、凹溝への凸条の入り込みを解くよう、各建材を動かして、各建材個々に分解すればよい。よって、再利用の有効性が高まる。
【００１３】
本発明でいう凸形状或いは凹溝形状の実質的な同一とは、建材接合後のものにおいて見栄え上支障がない、もしくは実用上支障のない範囲、例えば、木工機械で切削を行う場合に許容される誤差を含んだ形状の同一を意味する。
【００１４】
また、本発明にいう「第１、第２凹溝は、第１、第２凸条と凹溝側面当たりを起こすよう合致した凹状断面形状を有する」ことは、凹溝への凸条の入れ込みによる建材の接合に際して無理なく抜き差しできるような形状の合致を意味し、凹溝に凸条を打ち込み固定するような取り外しを想定しないことを意味するものではない。換言すれば、上記のように合致することは、凹溝の断面形状と凸条の断面形状が同一であること、或いは相似の関係を有することである。この相似の関係の場合には、溝幅と凸幅の上記した関係から、凹溝の断面形状の大きさは凸条の断面形状より小さくなる。
【００１５】
上記の構成を有する本発明の建材は、以下の態様を採ることもできる。
即ち、前記第１、第２凸条は、台形断面形状を有し、前記第１、第２凹溝は、前記台形断面形状に合致した凹状断面形状を有するものとし、前記第１凹溝に他の建材が有する前記第１凸条を入り込ませると、前記建材の前記第１面と前記他の建材が有する前記第２面とが接合するようにすることもできる。こうすれば、凸条および凹溝の切出加工が簡便となると共に、建材同士が密着して重なるので、建材接合の見栄えが向上する。
【００１６】
また、前記第１凸条と前記第１凹溝は、凸条センターと凹溝センターを一致して対向し、前記第２凸条と前記第２凹溝は、凸条センターと凹溝センターを一致して対向するようにすることもできる。こうすれば、複数の建材が接合された状態において、一方の木口側では、それぞれの建材の第２凸条がセンターを合わせて一列に繋がった凸条とでき、他方の木口側では、それぞれの建材の第２凹溝がセンターを合わせて一列に繋がった凹溝とできる。この結果、柱や針、或いは土台等の別の建材に形成する凹溝や凸条を、これら一列の凸条・凹溝に合わせて形成すればよく、こうした別建材の加工や本発明の建材との接合が簡便となる。
【００１７】
上記した本発明の建材は、複数の建材を接合してなる建材接合構造に容易に適用できる。
【００１８】
また、既述した課題の少なくとも一部を解決するため、本発明の建築物は、
複数の建材を接合して壁を形成した建築物であって、
前記壁の下端部となる土台材と、
前記壁の上端となる梁材と、
前記壁の左右端となる柱材と、
前記土台材、梁材および左右の柱材で囲まれた間に組み込まれる複数の壁構成材とを有し、
該壁構成材を上記した建材とし、
前記土台材は、前記梁材側の上面に土台材凸条を備え、該土台材凸条を前記建材の前記第１凹溝に凹溝側面当たりを起こして入り込ませることが可能とされ、前記梁材は、前記土台材側の下面に梁材凹溝を備え、該梁材凹溝に前記建材の前記第１凸条を凹溝側面当たりを起こして入り込ませることが可能とされ、
前記柱材の一方は、他方の前記柱材側の鉛直方向側面に柱材凹溝を備え、該柱材凹溝に前記建材のそれぞれの前記第２凸条を凹溝側面当たりを起こして入り込ませることが可能とされ、
前記柱材の他方は、前記一方の柱材側の鉛直方向側面に柱材凸条を備え、該柱材凸条を前記建材のそれぞれの前記第２凹溝に凹溝側面当たりを起こして入り込ませることが可能とされている、
ことを特徴とする。
【００１９】
この本発明の建築物では、土台材と梁材および向かい合う柱材で囲まれた領域を、複数の建材で塞いだ壁とし、この壁において柱材・梁材・土台材と建材との接合箇所および建材同士の接合箇所にもスキを残さない。しかも、各建材を上記したように有効に再利用できると共に、作業効率の向上やコスト低減を図ることができる。
【００２０】
この場合、複数の建材を、第１凸条と第１凹溝が凸条センターと凹溝センターを一致して対向し、第２凸条と第２凹溝が凸条センターと凹溝センターを一致して対向するものとすれば、次の利点がある。
【００２１】
このようにされた建材を接合すると、接合済みの建材では、既述したように、一方の木口側では第２凸条がセンターを合わせて一列に繋がった凸条となり、他方の木口側では第２凹溝がセンターを合わせて一列に繋がった凹溝となる。この第２凸条は第１凸条と、第２凹溝は第１凹溝とそれぞれ同一形状であることから、一方の木口側の一列の凸条は第１凸条の代用となり、他方の木口側の一列の凹溝は第１凹溝の代用となる。
【００２２】
従って、建材を横使いして上下に接合して壁を形成することを仮定すると、当該建材の木口側の接合対象となる左右の柱材にあっては、一方の柱材では第１凸条が入り込む凹溝を建材の第１凹溝と同じ形状に形成し、他方の柱材では第１凹溝に入り込む凸条を第１凸条と同じ形状で形成すればよい。上下載置の最下段建材の接合対象となる土台材にあっては、第１凹溝に入り込む凸条を第１凸条と同じ形状で形成すればよく、梁材にあっては、上下載置の最上段建材の第１凸条が入り込む凹溝を建材の第１凹溝と同じ形状に形成すればよい。つまり、土台材が上面に第１凸条を有し、梁材は下面に第１凹溝を有し、左右の柱材は第１凹溝と第１凸条を向かい合わせる。
【００２３】
こうなると、以下に説明するように、建材を縦使いして壁を形成することもできる。つまり、建材を立ててその建材の第１凸条を柱材の第１凹溝に入り込ませつつ、縦使い建材の下端側木口の第１凹溝に土台材上面の第１凸条を入り込ませ、上端側木口の第１凸条を梁材下面の第１凹溝に入り込ませることができる。よって、建材を左右方向に接合させて壁を形成することもできる。
【００２４】
このように建材の横使い或いは縦使いした壁を有する建築物において、前記左右の柱材は、前記梁材側の木口に、前記建材の前記第１凸条と実質的に同形状の木口凸条を備え、該木口凸条を前記梁材の前記梁材凹溝に凹溝側面当たりを起こして入り込ませているようにすることもできる。こうすれば、梁材にて、柱材と建材を含めてこれらの上端を接合できるので、建築強度が高まる。
【００２５】
こうした建築物において、用いる建材を、約１２０〜３００ｍｍの正角寸法の材木とすることができる。こうすれば、柱および壁となる各建材の寸法はＪＩＳ規格等で規定されたものとなるので、建物強度を確実に確保できる。しかも、柱間の各建材自体がこうした正角寸法のものであることから、耐震性も高まる。特に、２００〜２５０ｍｍ程度の建材とすれば、十分な厚みの材木壁となることから、室内温度を外気温に余り影響さえずに維持でき、省エネ効果を奏することができる。なお、土台材や梁材についても上記の正角寸法とすることもできる。また、上記各建材は、無垢の木材から切り出すほか、張り合わせ合板とすることもできる。
【００２６】
【発明の他の態様】
本発明は、以下のような他の態様を採ることも可能であり、第１の他の態様は、接合対象となる建材に、その接合方向に沿って貫通孔を設け、当該貫通孔に長尺ボルトを通して、接合建材を接合状態のまま上下で締め付けるようにしてもよい。こうすれば、より強度が増し、耐震性も向上する。
【００２７】
このほか、建材を長手方向に貫通する貫通孔を設け、当該貫通孔に長尺ボルトを通して、建材を個別に上下の木口で他の建材（例えば、梁材や土台材、柱材）に締め付けるようにしてもよい。こうすれば、個々の建材が他の建材と固定されることで、全体としての強度の向上や耐震性の向上を図ることができる。
【００２８】
【発明の実施の形態】
次に、本発明に係る建築物の実施の形態を実施例に基づき説明する。図１は実施例に係る建築物が有する建物壁１０の側面外観図である。
【００２９】
図示するように、建物壁１０は、土台１２と梁１４および向かい合う柱１６で囲まれた領域を長尺状の後述する複数の建材で塞いだ構造を有する。この場合、図中の左側は、後述の建材を横使いした場合の壁外観を、図中の右側は、建材縦使いの壁外観を示している。なお、柱間の建材４０は、横使い・縦使いを問わず、すべて同じものである。
【００３０】
次に各建材について説明する。図２は建材横使いの場合の概略分解斜視図、図３は建材縦使いの場合の概略分解斜視図、図４は建材４０の概略斜視図である。
【００３１】
これら図面に示すように、柱１６は、丸太材から正角寸法に切り出し成形され、凸条２２と凹溝２４とを建材長手方向に沿って背中合わせで有し、梁１４の側の木口には凸条２６を有する。凸条２２と凸条２６は、ともに等脚台形断面の凸条とされ同一形状とされている。この場合、この両凸条は、凸条２２が梁側木口端面に連続して回り込むように形成され、凸条２６は、この梁側木口端面に亘って形成されている。凹溝２４は等脚台形断面の凹溝とされ、その溝形状は、後述する建材４０の木口側の凸条４２と凹溝側面当たりを起こすよう合致した凹状断面形状とされている。また、凹溝２４の溝開口端側の溝幅は、建材４０の凸条４２の凸形状基部側の凸幅とほぼ同じ寸法にされている。これら凸条および凹溝は、それぞれそのセンターを一致させて柱１６の柱面および木口のセンターに形成されている。こうした凸条と凹状を有する柱１６は、後述の基礎５０に載置されてこの基礎側端面において土台１２で支えられ、上端は梁１４で支えられる。こうして柱を立設する場合には、隣り合う柱１６において、凸条２２と凹溝２４とが向かうようにされる。
【００３２】
土台１２は、柱間の基礎上に固定され、その上面に凸条３１を有し、一方の木口側に柱１６の凹溝２４に入り込む凸条３２を、他方の木口側に柱１６の凸条２２が入り込む凹溝３３を有する。この場合、凸条３１と凸条３２にあっても、柱１６における凸条２２と凸条２６と同様、凸条３１が柱側木口端面に連続して回り込むようにされている。そして、これら凸条は、すべて等脚台形断面で同一形状の凸条である。また、凸条３１、凸条３２および凹溝３３は、ともにそのセンターが一致するようにされている。この凹溝３３にあっても等脚台形断面の凹溝とされ、その溝形状は、柱１６の凸条２２と凹溝側面当たりを起こすよう合致した凹状断面形状とされている。また、凹溝３３の溝開口端側の溝幅は、柱１６の凸条２２の凸形状基部側の凸幅とほぼ同じ寸法にされている。
【００３３】
この土台１２は、両端に柱固定片３４を備え、基礎上に立設した柱１６をその下端において両側から支える。つまり、柱１６を挟んだ一方の土台１２は、その凸条３２を柱１６の凹溝２４に入り込ませ、他方の土台１２は、その凹溝３３に柱１６の凸条２２を入り込ませて、両土台で柱１６を両側から挟持すると共に、両土台の柱固定片３４突き合わせて、この柱固定片３４によってでも柱１６を下端で支える。
【００３４】
梁１４は、その下面に凹溝１５を有する。この凹溝１５は、等脚台形断面の凹溝とされ、その溝形状は、柱１６の凸条２６および建材４０の凸条４２と凹溝側面当たりを起こすよう合致した凹状断面形状とされている。また、この凹溝１５にあっても、その溝開口端側の溝幅は、凸条２６と凸条４２の凸形状基部側の凸幅とほぼ同じ寸法にされている。この場合、凹溝１５は柱１６の凹溝２４と同じ溝形状とされ、凸条２６と凸条４２は同じ凸形状とされている。
【００３５】
この梁１４は、下面の凹溝１５に柱１６の凸条２６を入り込ませることで、柱１６をその上端で支える。これにより、柱１６は、土台１２により下端を梁１４により下端をそれぞれ支えられ、基礎に立設することになる。こうして立設された柱１６は、長手方向に貫通した貫通孔２７に配置された図示しない長尺ボルトを介して、基礎と梁１４に対して柱方向に固定される。この固定の様子については後述する。
【００３６】
柱１６の凸条２２と凹溝２４は、柱１６の正角寸法に応じて定まり、本実施例では、柱１６を約２５０ｍｍの正角寸法とし、凸条２２は、凸形状基部で凸幅が約１００ｍｍ、凸形状頂上で凸幅が約５０ｍｍ、凸高さが約５０ｍｍの等脚台形状の凸条とされている。凹溝２４にあっては、その溝開口端側の溝幅が約１００ｍｍ、溝底部幅が約５０ｍｍ、溝深さが約５０ｍｍの等脚台形断面状の凹溝とされている。
【００３７】
そして、上記した凸条２６や土台１２の凸条３１および凸条３２は、凸条２２と同寸法とされ、梁１４の凹溝１５や土台１２の凹溝３３は、凹溝２４と同寸法とされている。以下に説明する建材４０の凸条４１や凹溝についても同様である。なお、柱１６を２５０ｍｍ以外の正角寸法とした場合にあっても、凸条２２と凹溝２４を上記の寸法比に倣って形成すればよいが、凹溝２４等の溝開口端側の溝幅は、凸条２２等の凸形状基部側の凸幅以下とする必要がある。
【００３８】
建物壁１０は、こうして立設された柱間に、複数の建材４０を横使いして上下に接合させている。
この建材４０は、柱１６と同様に丸太材から正角寸法に切り出し成形されたものであり、図４にも示すように、柱１６の凹溝２４に入り込む凸条４２を一方の木口から突出して備える。また、建材４０は、建材長手方向の一面（図２における上面）に、建材長手方向に沿って凸条４１を備える。そして、建材４０におけるこの両凸条は、柱１６における凸条２２と凸条２６と同様、凸条４１が柱側木口端面に連続して回り込んで凸条４２となるようにされている。また、建材４０が有するこの凸条４１と凸条４２にあっても、柱１６の凸条２２と同一の等脚台形断面の凸条とされている。
【００３９】
また、建材４０は、他方の木口に柱１６の凸条２２が入り込む凹溝４３を備え、建材長手方向の他面（図２における下面）に、建材長手方向に沿って凹溝４４を備える。そして、建材４０におけるこの両凹溝は、凹溝４４が上記他方の木口端面に連続して回り込んで凹溝４３となるように形成され、凹溝４３は、この木口端面に亘って図中上下に形成されている。また、建材４０が有するこの凹溝４３と凹溝４４にあっても、柱１６の凹溝２４と同一の等脚台形断面の凹溝とされており、凹溝４４の溝形状は、下側に位置する建材４０の凸条４１または土台１２の後述する建材４０の木口側の凸条４２と溝側面当たりを起こすよう合致した凹状断面形状とされている。この場合、土台１２の凸条３１は、柱１６の凸条２２と同一形状であることから、凹溝４４は、土台１２の凸条３１に対しても溝側面当たりを起こす。
【００４０】
ここで、上記のように凸条・凹溝を形成した場合の様子について説明する。図５は建材４０の木口側における凸条４１の残存の様子を説明する説明図である。上記したように建材４０の一方の木口側では、この木口側で上下に延びた凸条４２と建材下面の凹溝４４とが干渉する。他方の木口では、建材上面の凸条４１と木口にて上下に位置する凹溝４３とが干渉する。
【００４１】
今、凹溝４３と凹溝４４の溝開口端側の溝幅が凸条４１と凸条４２の凸形状基部側の凸幅を越えたと仮定する。すると、凸条４１を上面に凸条４２を木口に有する建材４０に幅広の凹溝４３と凹溝４４の形成用を溝加工を行うことで、図５（ａ）に示すように、凸条４１と凸条４２は、その凸形状基部側が溝加工の際に削り取られてします。従って、図２に示すように建材４０を接合した場合、凸形状基部側が残っていない部分Ｘでは、上下の建材４０が下面・上面を合わせて重なっているに過ぎず、長手方向側面視すると、上記の部分Ｘでは建材木口側で建材間にスキができる。また、凸条４２の側で同様である。そして、凹溝４３或いは凹溝４４に入り込む凸条がこの部分Ｘを塞がないのであれば、接合した建材４０同士の上記のスキは残ったままである。なお、凹溝４３或いは凹溝４４に入り込む凸条がこの部分Ｘを塞いだとしても、接合した建材４０同士のスキはあることから、このスキから凹溝４３や凹溝４４内部への雨水進入を回避することはできない。
【００４２】
しかしながら、本実施例では、凹溝４３、凹溝４４の溝開口端側の溝幅を凸条４１、凸条４２の凸形状基部側の凸幅と同じにしたので、図５（ｂ）に示すように、凸条４１および凸条４２の凸形状基部側は木口端面まで残ることになる。従って、建材４０を接合した場合の接合箇所にスキを残さない。
【００４３】
こうした建材の切り出しに際しては、糸鋸盤等の既存の木工加工機械を使用したり、数値制御で切削工具を駆動制御するいわゆるマシニングセンター等の機械や、専用機を使用すればよい。
【００４４】
上記した建材を用いた建物壁１０は、図１に示すように、隣り合う柱１６の対向間隔ＨＳと、土台１２と梁１４との対向間隔ＨＨとを同じ寸法とした。また、建材４０の両木口間寸法を、上記の間隔と同じとし、対向間隔ＨＳ、ＨＨを、建材４０の正角寸法（本実施例では２５０ｍｍ）の整数倍（本実施例では１６倍）とした。具体的には、建材４０の両木口間寸法と対向間隔ＨＳ、ＨＨを４０００ｍｍとした。なお、柱１６の正角寸法が２５０ｍｍであれば、柱間寸法は、芯芯で４２５０ｍｍとなる。
【００４５】
次に、本実施例の建物壁１０の施工に当たって行われる建材組付けについて説明する。図６は建材組み付け後の様子を図１のＡ−Ａ線、Ｂ−Ｂ線、Ｃ−Ｃ線に沿った断面を用いて説明する説明図である。
【００４６】
まず、後述の基礎に土台１２を固定する。この土台固定に当たっては、アンカーボルトとナット等も用いて、基礎からの土台取り外しができるようにする。なお、ボルト・ナットが土台上面から出ないように、座ぐり等を設けることが好ましい。
【００４７】
こうした土台１２の基礎への固定と並行して、柱１６を組み付ける。つまり、柱１６をその下端木口を基礎に接合して立設し、この柱１６を既述したように左右の土台１２の柱固定片３４で挟むようにする。こうなると向かい合う柱１６は、凹溝２４と凸条２２を対向させた状態となる。その後、建材４０を玉がけロープ等を用いてクレーンで吊り上げ、隣り合う柱１６の間で向き合う凹溝２４と凸条２２に、木口側の凸条４２と凹溝４３を嵌合させつつ、この建材４０を土台１２まで降ろす。そして、玉がけロープを解いて、建材４０の凹溝４４に土台１２の凸条３１を嵌合させて、柱間の最下段に建材４０を組み込む。
【００４８】
その後は、各段の建材４０を同様にして組み込み、その際には上下の建材４０で凹溝４４への凸条４１の嵌め込みを行う。そして、最上段の建材４０の組み込みが終われば、その建材４０の凸条４１と柱１６の凸条２６が梁１４の凹溝１５に嵌め込まれるようにして、梁１４を組み付ける。こうして、建物壁１０が完成する。なお、梁組み付け後は、柱１６を既述したように貫通孔２７内のボルトにより、基礎と梁に対して固定する。
【００４９】
なお、上記した玉がけに備え、建材４０に、その上面と木口面にアンカーボルト装着用の雌ねじを設けておくと好ましい。
【００５０】
こうして組み込まれた建材４０は、下端では、図６の各断面に示すように、土台１２の上面に密着した状態で長手方向に亘って接合する。柱１６の凹溝２４の内部においては、図６のＡ−Ａ線断面に示すように、各段の建材４０が有する凸条４２がセンターを合わせて一列に並び、それぞれの凸条４２が柱１６の凹溝２４に入り込む。こうなると、建材４０の両木口側では、上記したように建材接合にスキがなく、柱１６との接合によっても柱面と建材４０の木口面が密着するする。従って、長手方向に亘る範囲においても両木口においても、建材接合箇所にスキを残さない。
【００５１】
このような建材組み付けに当たっては、各建材を対応する凹溝への凸部の嵌合を行えばよくその際に釘打ち等を全く要しない。よって、建物壁１０を容易に施工することができ、作業効率の向上、コスト低下を図ることができる。また、再利用に当たっても、凸部（凸条）の嵌合を解くようにすればよいので、解体作業も容易であり、この結果、再利用効率を高めることができる。
【００５２】
また、本実施例では、次のような利点がある。
既述したように、それぞれの凸条と凹溝については、その形成対象の建材を問わず、凸条同士は同じ凸形状、凹溝同士は同じ凹形状にした。更に、隣り合う柱１６の対向間隔ＨＳと土台・梁間の対向間隔ＨＨとを同じ寸法とすると共に、建材４０の両木口間寸法を、上記の間隔と同じとした。加えて、対向間隔ＨＳ、ＨＨを、建材４０の正角寸法（本実施例では２５０ｍｍ）の整数倍（本実施例では１６倍）とした。
【００５３】
このため、図３に示すように、建材４０を、長手方向の凸条４１が柱１６の凹溝２４に嵌合するよう、木口側の凹溝４３が土台１２の凸条３１に嵌合するように組み付けることができる。その後は、この建材４０に横方向に建材４０が接合するよう、順次組み付け、他方の柱１６側の建材４０については、その凹溝４４に柱１６の凸条２２が嵌合するようにして、各建材を組み付けることができる。つまり、図３に示すように、建材を縦使いした建物壁とできると共に、隣り合う壁幅を同じとできる。この結果、各建材の接合方向の自由度が高まると共に、隣り合う壁の外観を建材縦使い・建材横使いの繰り返しとでき、見栄えや意匠性の向上を図ることができる。
【００５４】
図３に示すような建材縦使いの場合には、建材４０のそれぞれ、或いは所定本数おきの建材４０に、図示するような長手方向の貫通孔４６を設け、柱１６と同様にして、貫通孔内のボルトにより基礎と梁に対して固定する。この場合、土台１２についても建材４０の貫通孔４６に重なるよう貫通孔３５を適宜個数形成しておく。こうすれば、貫通孔２７を用いた柱１６の固定と相まって、縦使いの建材４０をも固定するので、建物強度や耐震性が各段に向上する。
【００５５】
こうした建材４０のボルトによる固定は、縦使いのみならず、図２に示す横使いの場合でも適用できる。即ち、図２に示す上下のそれぞれの建材４０に、適宜箇所（例えば長手方向の中央）に、上下面を貫通する貫通孔４７を設ける。この場合、貫通孔４７は凸条４１の頂上と凹溝４４の底面を貫通するようにする。そして、こうして設けた貫通孔４７にボルトを通し、上下に接合した建材４０を総て基礎に対して固定するようにする。こうしても、柱１６の固定と相まって、横使いの建材４０をも固定するので、建物強度や耐震性が各段に向上する。なお、上記した貫通孔４７の形成位置は、この貫通孔４７が既に土台１２に形成済みの貫通孔３５と重なるような位置であり、上記した長手方向の中央は例示である。つまり、縦使いした建材４０（図３参照）のある建材における貫通孔４６と、横使いした建材４０の貫通孔４７とが左右の柱１６の間において同じ位置となればよい。
【００５６】
なお、土地の広さの都合や、建物施工主の都合で、隣り合う壁幅に広狭がある場合であっても、建材の縦使い・横使いを使い分けたものとできる。図７は隣り合う壁幅が異なる場合の例を説明するための説明図である。
【００５７】
図示するように、一方の柱間の対向間隔ＨＳＳが短い場合であっても、この壁幅が短い壁において、建材４０の数を減らすことで対処できる。
【００５８】
また、一般に、壁は建物コーナーで直角に形成されるが、この場合は、次のようにすればよい。図８は建物コーナーにおける建材接合の様子を説明するための説明図である。
【００５９】
壁が柱を挟んで並ぶ場合は、図８（ａ）に示すように、柱１６は、凸条２２と凹溝２４を背中合わせに備えるが、建物コーナーに当たる柱１６では、凹溝２４と凸条２２を隣り合う柱面に設ける。この柱１６を併用すれば、建物の四方の壁を、上記したように、建材４０を用いて形成できる。
【００６０】
次に、変形例について説明する。図９は建材４０の変形例を説明するための概略斜視図である。
図示するように、変形例の建材４０Ａは、凸条４１を建材長手方向に亘って有するのではなく、両木口側の所定範囲を凸条４１とし、中間部４１ａを幅の狭いものとした。こうしても、両木口側で凸条４１の凸形状基部側を残すので、上記した実施例と同様の効果を奏することができる。
【００６１】
また、次のように変形することもできる。上記の実施例では、それぞれの凸条と凹溝をその断面形状（等脚台形形状）を同じものとしたが、凹溝を、等脚台形断面でありながら小さくすることもできる。つまり、それぞれの凹溝の溝開口端側の溝幅を凸条の凸形状基部側の凸幅より狭くすることもできる。
【００６２】
こうした場合では、凸条は、凹溝の底部にその頂上を接することなく入り込むが、上下の建材４０の上面と下面は離れることになる。しかしながら、こうして上下面が離れても、この間には、建材長手方向に亘って凸条４１が介在しており、両木口においては凸条４１と凸条４２の凸形状基部側が残されているので、離れた上下面間で、建材側方から向こう側を見ることができるようなスキができることはない。
【００６３】
次に、基礎との関係について説明する。図１０は基礎５０を構成し建築物のコーナーに土中に埋設設置されるコーナー基礎石を示す説明図、図１１はコーナー基礎石間に土中に埋設設置され基礎５０を構成する中間基礎石を示す説明図、図１２はこれら基礎石で構成される基礎５０を平面視して概略的に示す説明図、図１３は基礎５０と柱１６並びに土台１２の関係を示す説明図、図１４は基礎石と建材との重ね合わせの様子を図１３における１４−１４線に沿って断面視して示す説明図、図１５は基礎石と建材との重ね合わせの様子を図１３における１５−１５線に沿って断面視して示す説明図である。
【００６４】
図１０に示すように、建築物のコーナーには、出隅基礎石５１と入隅基礎石５２のコーナー基礎石が埋設設置される。図１１に示す中間基礎石５３は、上記のコーナー基礎石間に埋設設置され、これら基礎石で図１２に示すような基礎５０を構成する。この場合、中間基礎石５３は、図１１に示す如く短寸で規格化されたものでもよく、コーナー基礎石間の距離に合わせた個別寸法のものとすることもできる。これら基礎石は、その高さが約２０００ｍｍとされ、約１０００ｍｍの深さに亘って土中に埋められる。こうした基礎石を用いたものにあっては、建材ばかりか基礎についても再利用や移築が可能となる。なお、基礎石は自然石からの切り出しでも良く、コンクリート等を固めて形成させたものであっても良い。
【００６５】
出隅基礎石５１は、上面を建材載置面６０とし、これを建物の外部側で取り囲むコーナ周壁部６１とコーナー座６２を有する。コーナ周壁部６１は、約２００ｍｍの高さとされ、図１５に示すように、建材載置面６０に立設された柱１６下端の段差部１７を受けるようにされている。コーナー座６２は、コーナ周壁部６１よりも低くされ、建材載置面６０に立設された柱１６を支える土台１２を、幅方向で支持する。建材載置面６０には、柱下端に入り込んだ雨水の排水溝６３が形成され、基礎石を上下に貫通する貫通孔６４が空けられている。このため、上記の雨水は、排水溝６３に集まり貫通孔６４を経て、基礎石下方の土中に流れ出す。なお、この貫通孔６４は、柱１６をボルト止めする際のボルト挿入孔としても機能する（図１５参照）。
【００６６】
入隅基礎石５２は、建材載置面６０の入隅側に位置し、上記の出隅周壁部６１と同じ高さとされた入隅周壁部６５を備え、これと対向して外出隅周壁部６６を有する。この入隅基礎石５２においても、建材載置面６０に立設された柱１６下端の段差部１７を受けると共に、外出隅周壁部６６と入隅周壁部６５で、柱１６と土台１２を支持する。
【００６７】
中間基礎石５３は、建材載置面６０を挟んで外側周壁部６７と内側周壁部６８を備え、建材載置面６０には、雨水の排水溝６３と、基礎石を上下に貫通する貫通孔６４を有する。外側周壁部６７は、出隅周壁部６１や入隅周壁部６５と同じ高さとされ、出隅周壁部６１と同様に柱１６の段差部１７を支えるほか、図１４に示すように、建材載置面６０で、土台１２に接合された最下段の建材４０の下面をも支える。
【００６８】
これら基礎石からなる基礎５０では、図１２に示すように、出隅基礎石５１の出隅周壁部６１と、中間基礎石５３の外側周壁部６７および入隅基礎石５２の入隅周壁部６５が建物外部で連続し、建物内部では、コーナー座６２、内側周壁部６８および外出隅周壁部６６が連続する。そして、建材載置面６０は、これら内外の周壁部の連続で囲まれた範囲で連続することになり、こうした連続面の建材載置面６０に柱１６が立設されると共に、柱間に土台１２が組み付け固定される。土台１２は、図１３や図１４に示すように、外側周壁部６７と内側周壁部６８で幅方向の動きが規制され、この土台１２の上面に建材４０が組み付け接合される。柱１６は、図１５に示すように、コーナ周壁部６１や内側周壁部６８に柱面を接合した上で、他方柱面を土台１２の柱固定片３４で押さえつけられることで、図中左右方向の動きが規制されることになる。なお、この図１５に示すように、柱１６は、自身の貫通孔２７と基礎の貫通孔６４に挿入されたボルトで上下に締め付け・固定される。また、こうしたボルトでの締め付け・固定を、中間基礎石５３が有する貫通孔６４と、縦使いの建材４０の貫通孔４６（図３参照）、或いは横使いの建材４０の貫通孔４７（図２参照）に挿入されたボルトでもなすようにして、縦使いおよび横使いの建材４０を上下に締め付け固定することもできる。
【００６９】
以上本発明の実施例について説明したが、本発明は上記の実施例や実施形態になんら限定されるものではなく、本発明の要旨を逸脱しない範囲において種々なる態様で実施し得ることは勿論である。
【００７０】
例えば、上記実施例では、建材４０を横使い・縦使いする場合について説明したが、斜め使いすることもできる。こうする場合は、建材４０の両木口を例えば建材下面に対して４５°傾斜した傾斜面とし、その傾斜面に沿って凸条３２や凹溝３３を形成すればよい。こうすれば、建物壁に対して、建材４０が斜めになるようにすることもでき、建物壁の意匠性を高めることができる。
【００７１】
また、次のように変形することもできる。図１６は変形例における建物コーナーにおける建材接合の様子を説明するための説明図、図１７はこの変形例における基礎５０と柱１６と柱並置建材８０並びに土台１２の関係を示す説明図である。この変形例は、柱１６が凸条２２と凹溝２４とを建材長手方向に沿って有するのではなく凸条２２と凸条２２を建材長手方向に沿って有する点に特徴がある。
【００７２】
柱１６が縦使いされた建材４０の中間に位置する場合は、図１６（ａ）に示すように、柱１６は凸条２２と凸条２２を建材長手方向に沿って背中合わせに備え、この柱１６には、柱並置建材８０が縦使いされる。この柱並置建材８０は、柱１６の凸条２２が入り込む凹溝２４と縦使いの建材４０の凸条４１が入り込む凹溝２４を建材長手方向に沿って背中合わせに備える。こうしても、図示する柱並置建材８０とこれに対向する図示しない柱１６との間において、建材４０を既述した関係を持って縦使いして、建物の壁を形成できる。
【００７３】
また、柱１３が建物コーナに位置する場合は、図１６（ｂ）に示すように、柱１６は凸条２２と凸条２２を建材長手方向に沿って各コーナーに備え、この柱１６には、上記の柱並置建材８０が縦使いして並置される。そして、この場合であっても、図示する柱並置建材８０とこれに対向する図示しない柱１６との間において、建材４０を既述した関係を持って縦使いして、建物の壁を形成できる。柱１６がＴ字に壁が接合した部分に位置する場合には、この柱１６を凸条２２を三方に突出して有するものとし、上記の柱並置建材８０を柱１６に並置して縦使いすればよい。また、柱１６が十字に壁がクロスするような部分に位置する場合には、柱１６を凸条２２を四方に突出して有するものとし、上記の柱並置建材８０を柱１６に並置して縦使いすればよい。
【図面の簡単な説明】
【図１】実施例に係る建築物が有する建物壁１０の側面外観図である。
【図２】建材横使いの場合の概略分解斜視図である。
【図３】建材縦使いの場合の概略分解斜視図である。
【図４】建材４０の概略斜視図である。
【図５】建材４０の木口側における凸条４１の残存の様子を説明する説明図である。
【図６】建材組み付け後の様子を図１のＡ−Ａ線、Ｂ−Ｂ線、Ｃ−Ｃ線に沿った断面を用いて説明する説明図である。
【図７】隣り合う壁幅が異なる場合の例を説明するための説明図である。
【図８】建物コーナーにおける建材接合の様子を説明するための説明図である。
【図９】建材４０の変形例を説明するための概略斜視図である。
【図１０】基礎５０を構成し建築物のコーナーに土中に埋設設置されるコーナー基礎石を示す説明図である。
【図１１】コーナー基礎石間に土中に埋設設置され基礎５０を構成する中間基礎石を示す説明図である。
【図１２】これら基礎石で構成される基礎５０を平面視して概略的に示す説明図である。
【図１３】基礎５０と柱１６並びに土台１２の関係を示す説明図である。
【図１４】基礎石と建材との重ね合わせの様子を図１３における１４−１４線に沿って断面視して示す説明図である。
【図１５】基礎石と建材との重ね合わせの様子を図１３における１５−１５線に沿って断面視して示す説明図である。
【図１６】変形例における建物コーナーにおける建材接合の様子を説明するための説明図である。
【図１７】この変形例における基礎５０と柱１６と柱並置建材８０並びに土台１２の関係を示す説明図である。
【符号の説明】
１０…建物壁
１２…土台
１４…梁
１５…凹溝
１６…柱
１７…段差部
２２…凸条
２４…凹溝
２６…凸条
２７…貫通孔
３１…凸条
３２…凸条
３３…凹溝
３４…柱固定片
４０…建材
４０Ａ…建材
４１…凸条
４１ａ…中間部
４２…凸条
４３…凹溝
４４…凹溝
５０…基礎
５１…出隅基礎石
５２…入隅基礎石
５３…中間基礎石
６０…建材載置面
６１…出隅周壁部
６２…コーナー座
６３…排水溝
６４…貫通孔
６５…入隅周壁部
６６…外コーナー周壁部
６７…外側周壁部
６８…内側周壁部
８０…柱並置建材
【図１】
2004239027.tif 000003
【図２】
2004239027.tif 000004
【図３】
2004239027.tif 000005
【図４】
2004239027.tif 000006
【図５】
2004239027.tif 000007
【図６】
2004239027.tif 000008
【図７】
2004239027.tif 000009
【図８】
2004239027.tif 000010
【図９】
2004239027.tif 000011
【図１０】
2004239027.tif 000012
【図１１】
2004239027.tif 000013
【図１２】
2004239027.tif 000014
【図１３】
2004239027.tif 000015
【図１４】
2004239027.tif 000016
【図１５】
2004239027.tif 000017
【図１６】
2004239027.tif 000018
【図１７】
2004239027.tif 000019